(57)【要約】【課題】設計者に有益な判断材料を与えて、優れた製品の設計を支援することのできる設計支援システムを提供する。【解決手段】製品固有の情報を保存するとともに情報を管理できる部品表データベース２と、製品を構成する部品の評価の情報を整理して保存できる部品評価データベース３と、部品表データベース２の情報に基づいて設計者毎に製品の部品構成リスト１４を作成できる部品構成リスト作成部１１と、部品表データベース２と前記部品評価データベース３の部品固有情報とに基づいて、製品化された部品のうち、評価情報を含んでいる直接の要因である部品と、直接の要因ではないが関係している部品とを判定できる直接・間接要因部品識別判定部２２と、部品構成リスト１４の部品に対応して判定結果を表示出来る情報表示部２３とを有した。【選択図】    図１
2005038127.tif 000002
【特許請求の範囲】
【請求項１】
製品固有の情報を保存するとともに前記情報を管理可能な部品表データベースと、
前記製品を構成する部品の評価の情報を整理して保存可能な部品評価データベースと、
前記部品表データベースの情報に基づいて設計者毎に製品の部品構成リストを作成可能な部品構成リスト作成部と、
前記部品表データベースと前記部品評価データベースの部品固有情報とに基づいて、製品化された部品のうち、評価情報が反映されている直接の要因である部品を直接要因部品と判定し、直接の要因ではないが関係している部品を間接要因部品と判定する直接・間接要因部品識別判定部と、
前記部品構成リストの部品に対応して判定結果を表示可能な情報表示部とを有したことを特徴とする設計支援システム。
【発明の詳細な説明】
【０００１】
【発明の属する技術分野】
本発明は、製品設計を行うにあたり製品情報を有効に活用できる設計支援システムに関するものである。
【０００２】
【従来の技術】
近年、製品開発のプロセス全体に要する期間の短縮を図り、各工程のコストを低減させる技術が開発されてきている。例えば、特許文献１には、製品開発の各工程で作成されるデータを相互に関連づけて一体の部品表データベース上で管理し、各工程を同時並行的に進行させて、各工程での情報を前記部品表データベースに反映させる技術が開示されている。
【０００３】
【特許文献１】
特開２００２−７３７０８号公報
【０００４】
【発明が解決しようとする課題】
しかしながら、上述した従来の技術においては、市場で得られるデータと設計で使用されるデータとを具体的にどのように関連づけられるかは明確に示されていないことから、市場の情報が適切に設計レベルに反映されていない。特に車両等の多数の部品から構成される製品を設計する場合には、各部品に対する市場で得られたデータを具体的なかたちとして情報が反映され設計の支援に活用できるシステムが望まれている。
【０００５】
さらに、市場での製品に対する評価情報がある場合、その要因となった部品と、評価情報発生に関連した部品とがあり、これらの情報を加味しながら、設計に活かせるような支援システムが要望されている。
【０００６】
本発明は、このような事情に鑑みてなされたもので、新たに製品を設計する場合にも、評価情報発生要因となった部品と、評価情報発生に関連した部品との情報を加味しつつ、設計者に有益な判断材料を与えて、優れた製品の設計を支援することのできる設計支援システムを提供することを目的とする。
【０００７】
【課題を解決するための手段】
上記課題を解決するために、請求項１に記載した発明は、製品固有の情報を保存するとともに前記情報を管理可能な部品表データベース（例えば、実施の形態における部品表データベース２）と、前記製品を構成する部品の評価の情報を整理して保存可能な部品評価データベース（例えば、実施の形態における部品評価データベース３）と、前記部品表データベースの情報に基づいて設計者毎に製品の部品構成リスト（例えば、実施の形態における部品構成リスト１４）を作成可能な部品構成リスト作成部（例えば、実施の形態における部品構成リスト作成部１１）と、前記部品表データベースと前記部品評価データベースの部品固有情報とに基づいて、製品化された部品のうち、評価情報を含んでいる直接の要因である部品を直接要因部品と判定し、直接の要因ではないが関係している部品を間接要因部品と判定する直接・間接要因部品識別判定部（例えば、実施の形態における直接・間接要因部品識別判定部２２）と、前記部品構成リストの部品に対応して判定結果を表示可能な情報表示部（例えば、実施の形態における情報表示部２３）とを有したことを特徴とする。前記要因としては、例えば、ある部品を付加させた事により、別の目的にて近くに配置されている部品に干渉等により影響などを与える事により起きる。
【０００８】
この発明によれば、各設計者がそれぞれ選択した部品の構成リストである前記部品構成リストを前記部品構成リスト作成部により作成する。前記部品評価データベースにより保存した部品構成リストの部品の評価情報により、評価情報を含んでいる部品がある場合には、その部品が直接要因部品であるか間接要因部品であるかを、前記直接・間接要因部品識別判定部により判定することができる。すなわち、前記直接・間接要因部品識別判定部では、製品化された部品のうち、評価情報を含んでいる直接の要因である部品を直接要因部品と判定するとともに、直接の要因はないが関係している部品を間接要因部品と判定する。そして、前記情報表示部により前記部品構成リストの部品に対応して判定結果を表示することができる。これにより、各設計者がそれぞれ選択した部品の中に直接要因部品や間接要因部品が含まれている場合には、直接要因部品や間接要因部品が含まれている場合には、直接要因部品や間接要因部品を選択した設計者にそれぞれ判定結果を示すことができる。従って、各設計者は、発生した情報に対応するような部品の改良等を行うことができるため、製品全体の評価レベルの向上に寄与することができる。
【０００９】
【発明の実施の形態】
以下、本発明の実施の形態における設計支援システムを図面と共に説明する。図１は本発明の実施の形態における設計支援システムの全体構成を示す説明図である。図２は図１に示した設計支援システムのより詳細な説明図である。
【００１０】
これらの図に示した設計支援システム１は、部品表データベース２と、部品評価データベース３と、部品構成リスト作成部１１と、直接・間接要因部品識別判定部２２と、情報表示部２３とを備えている。
【００１１】
部品表データベース２は設計情報入力部６に接続され、該設計情報入力部６から各製品の部品情報が入力される。この部品情報は、例えば、各製品の型式や製造年度等により分類された製品毎の部品の情報である。この部品表データベース２において、設計者（例えば、設計者Ｉ〜ＩＩＩ）が変数１、変数２、変数３など（例えば、部品番号，部品名称、機種名など）から設計に必要な情報を検索や参照することができる。部品表データベース２は、この部品情報を、各部品毎に付与される固有の部品番号に対応させて管理され、設計段階での部品情報の共有化を図れる。
【００１２】
部品評価データベース３は市場情報入力部７に接続されており、該市場情報入力部７から製品化され評価情報のある部品について入力される。入力される情報としては、変数１、変数２、変数３などがあり、（例えば、部品番号、部品名称，発生状況，発生件数など）部品の評価に関る情報を一元的に保存することができる。評価情報としては、例えば、市場部品管理部門へ集められた各部品等に関する事象報告や、報告の内容に対しての対応状況などがある。図２に示すように、部品評価データベース３には、製品化された部品のうち、評価情報を含んでいる（例えば、部品Ａ、Ｅ、Ｆ、Ｇなど）についての情報が保存されている。
【００１３】
部品評価データベース３では、評価情報が入力された部品を前記部品番号により管理する。これにより、部品表データベース２で管理する部品と、部品評価データベース３で管理する部品とを関連づけることができる。
【００１４】
また、部品構成リスト作成部１１では、前記部品表データベース２の情報に基づいて、各設計者Ｉ〜ＩＩＩ毎が選択した製品の部品構成リスト１４Ｉ〜ＩＩＩを各設計者Ｉ〜ＩＩＩ毎に作成する。
直接・間接要因部品識別判定部２２では、各部品構成リスト１４Ｉ〜ＩＩＩを構成する部品が、評価情報を含んでいるかどうかを判定する。そして、前記部品が評価情報を含んでいると判定した場合には、前記部品が評価情報を含んでいる直接要因部品か、直接の要因ではないが関係している間接要因部品かどうかを判定する。この判定は、前記部品評価データベース３に蓄積された各部品の評価情報に基づいて行われる。
【００１５】
そして、図２に示すように、直接・間接要因部品識別判定部２２では、例えば、直接要因部品評価情報の項目に、直接要因部品であると判定した場合には「○」を、直接要因部品ではないと判定した場合には「×」を、それぞれの部品毎に入力する。一方、間接要因部品評価情報の項目に、間接要因部品であると判定した場合には「○」を、間接要因部品ではないと判定した場合には「×」を、それぞれの部品毎に入力する。そして、判定フラグには、どの部品に対する直接要因部品か、または間接要因部品かについての情報が入力される。
【００１６】
例えば、部品Ｇは、部品Ａに対しては直接要因部品であるが、部品Ｆに対しては間接要因部品であるので、直接要因部品評価情報、間接要因部品評価情報のそれぞれの項目に「○」が入力されている。
一方、部品Ｈは、市場情報入力部７から評価情報についての情報は入力されておらず、直接要因部品でも間接要因部品でもないので、直接要因部品評価情報、間接要因部品評価情報のそれぞれの項目に「×」が入力されている。
【００１７】
そして、情報表示部２３では、前記部品構成リスト１４Ｉ〜ＩＩＩの部品に対応して判定結果を表示する。すなわち、図２に示すように、各設計者Ｉ〜ＩＩＩの端末には、それぞれ選択した構成部品に、判定フラグに入力された評価情報が付加されて、表示される。これにより、各設計者Ｉ〜ＩＩＩは、それぞれが選択した構成部品のうち、評価情報を含んでいる部品があるかを判定する。評価情報を含んでいる場合には直接要因部品か間接要因部品かを把握することができる。
【００１８】
従って、各設計者Ｉ〜ＩＩＩは、直接要因部品、間接要因部品の情報に基づいて、選択した構成部品の改変等を行うことができる。例えば、設計者ＩＩＩは、選択した構成部品のうち、部品Ｅが直接要因部品であることを把握できるので、部品Ｅについて改良等を行うことができる。また、設計者Ｉは、選択した構成部品のうち、部品Ａが間接要因部品であることを把握できるので、他の設計者ＩＩ、ＩＩＩが部品Ａの直接要因部品であるＥ、Ｇを選択しているか、選択している場合にはその分析状況はどうか、等の情報に基づいて、間接要因部品である部品Ａを選択するかどうか判断することもできる。
このように、各設計者Ｉ〜ＩＩＩは、直接要因部品、間接要因部品の情報に基づいて、発生した情報を解消するような部品の改良等を行うことができるため、製品全体の評価の向上に寄与することができる。
【００１９】
【発明の効果】
以上説明したように、請求項１に記載した発明によれば、直接要因部品を選択した設計者や間接要因部品を選択した設計者にそれぞれ判定結果を示すことができるため、各設計者は、発生した評価情報を解消するような部品の改良等を行うことができ、製品全体の評価レベルの向上に寄与することができる。
【図面の簡単な説明】
【図１】本発明の実施の形態における設計支援システムの全体構成を示す説明図である。
【図２】図１に示した設計支援システムのより詳細な説明図である。
【符号の説明】
１  設計支援システム
２  部品表データベース
３  部品評価データベース
１１  部品構成リスト作成部
１４  部品構成リスト
２２  直接・間接要因部品識別判定部
２３  情報表示部
【図１】
2005038127.tif 000003
【図２】
2005038127.tif 000004